(57)【要約】  水及び／又は陸上での活動に従事しているスイマー、スキューバ・ダイバー、サーファー、ハイカー、ハンター、キャンパー、及び他の個人をサメによる攻撃並びに人間の他の海生及び陸生の捕食者からの攻撃から防護するよう設計された海及び陸の音伝達により注意をそらし制止する装置から成る人保護装置（及びその使用方法）である。人保護装置は、サメにより及び／又は他の目標とされる陸生及び海生の人間捕食者により容易に聞き取られ且つ認識される高周波数ピッチを変化する順次的間隔で発する。人保護装置は、捕食者を撃退することが知られている音を再生するための音発生器手段と、圧電スピーカと、防水筐体に収容された音発生器手段及びスピーカに電気エネルギを供給する電源とを備える。
2007521026.tif 000002
【特許請求の範囲】
【請求項１】
捕食者を撃退する人保護装置において、
回路ボードであって、
（１）制御回路と、
（２）音発生器と、を備える回路ボードと、
圧電スピーカと、
前記回路ボードと電気通信して、動作のため電気エネルギの供給を可能にする電源と、
電気エネルギを前記回路ボードに選択的に供給するためのスイッチと、を備え、
前記回路ボード、圧電スピーカ、電源、及びスイッチが防水容器に入れられている人保護装置。
【請求項２】
前記音発生器が更に、その中に録音された音を有するコンピュータ・チップを備える、請求項１記載の人保護装置。
【請求項３】
前記の録音された音が、小群のシャチが獲物を食べている音を備える請求項２記載の人保護装置。
【請求項４】
前記の録音された音が、小群のシャチが獲物を食べているディジタル合成音を備える請求項２記載の人保護装置。
【請求項５】
前記の録音された音が、人間の捕食者である動物により認識されたディジタル合成音をそのような動物の捕食者の音として備える請求項２記載の人保護装置。
【請求項６】
前記の録音された音が、
バンドウイルカと、
マッコウクジラと、
ザトウクジラと、
サメを攻撃することが知られている海生肉食動物と
から成るグループから選択された海生動物の音を備える
請求項２記載の人保護装置。
【請求項７】
前記制御回路が、前記音発生器を指図して、前記回路ボードが給電される場合音を生成し、且つ前記音発生器を指図して、前記回路ボードが給電されている状態である限り前記音を連続的に再生し続ける請求項１記載の人保護装置。
【請求項８】
前記電源がバッテリを備える請求項１記載の人保護装置。
【請求項９】
前記音発生器が更に、人間の捕食者である動物により認識される音の複数の録音をそのような動物の捕食者の音として備え、
前記人保護装置が更に、前記回路ボードに動作可能に接続されて、好みの音を選択的に使用可能にするスイッチを備える
請求項１記載の人保護装置。
【請求項１０】
前記防水容器を人間に装着させる手段を更に備える請求項１記載の人保護装置。
【請求項１１】
前記防水容器を人間に装着させる手段が、手首ストラップを備える請求項１０記載の人保護装置。
【請求項１２】
ボートと、
サーフボードと、
浮遊装置と、
海の設備と、
テントと、
背負い袋と、
道具と、
キャンプ用装備と
から成るグループから選択された装備に前記防水容器を装着する手段を更に備える請求項１記載の人保護装置。
【請求項１３】
前記圧電スピーカが、既知の捕食者を撃退するに十分な音を発する請求項１記載の人保護装置。
【請求項１４】
前記圧電スピーカが、ほぼ１２０デシベルとほぼ１９０デシベルとの間の音を発する請求項１記載の人保護装置。
【請求項１５】
前記圧電スピーカにより生成された音が、水を通って少なくとも３０メートルの距離伝達される請求項１記載の人保護装置。
【請求項１６】
前記スイッチを使用可能化向きに置くことにより前記人保護装置をオンにする第１の押しボタンを更に備える請求項１記載の人保護装置。
【請求項１７】
前記スイッチを使用不能化向きに置くことにより前記人保護装置をオフにする第２の押しボタンを更に備える請求項１６記載の人保護装置。
【請求項１８】
人間の捕食者を撃退する方法であって、
ａ．  人保護装置を装着するステップであって、前記人保護装置が、
制御回路及び音発生器を供える回路ボードと、
圧電スピーカと、
前記回路ボードと電気通信して、動作のための電気エネルギの供給を可能にする電源と、
電気エネルギを前記回路ボードに選択的に供給するスイッチとを備える、前記装着するステップと、
ｂ．  人間の捕食者である第１の動物が存在する範囲へ移動するステップと、
ｃ．  前記人保護装置が前記第１の動物の捕食者である第２の動物の音の録音を十分な振幅で再生して、前記第１の動物を前記人保護装置から離れるよう撃退するようにさせるステップと
を備える方法。
【請求項１９】
前記録音が、約１２０デシベルとほぼ１９０デシベルとの間の振幅で再生される請求項１８記載の方法。
【請求項２０】
前記録音が、前記音を少なくとも３０メートルの距離伝達するに十分な振幅で再生される請求項１８記載の方法。
【請求項２１】
人間を捕食動物から保護する方法において、
ａ．  人保護装置を設けるステップであって、前記人保護装置が、
制御回路及び音発生器を供える回路ボードと、
圧電スピーカと、
前記回路ボードと電気通信して、動作のための電気エネルギの供給を可能にする電源と、
電気エネルギを前記回路ボードに選択的に供給するスイッチとを備える、前記設けるステップと、
ｂ．  前記人保護装置が第２の動物の捕食者である第１の動物の音の録音を再生して、前記人保護装置のユーザが前記第２の動物が存在する範囲へ移動した後で前記第２の動物を前記人保護装置から離れるよう撃退するようにさせるべく前記ユーザに命令するステップであって、前記第２の動物が人間の捕食者である、前記命令するステップと
を備える方法。
【発明の詳細な説明】
【技術分野】
【０００１】
本発明は、捕食者を撃退する人保護装置に関し、より詳細には音発生装置を用いて或る範囲の中の捕食者を外に追いやることに関する。
【背景技術】
【０００２】
スイマー、スキューバ・ダイバー、ハイカー、ハンター、及びキャンパーは、時々、人間を捕食することが知られている陸生及び海生の動物を含む環境に自らがいることに気づく。陸上で音を立てることが多くの場合一部の陸生捕食者を撃退するのに十分であるにも拘わらず、水上での浮遊活動での水のはねかけ及び運動が、サメのような一部の海生捕食者を攻撃しがちである。
【０００３】
過去には陸生及び海生の動物を制御しようとするため音響装置を用いる試みが行われてきた。一般的に、陸生及び海生の動物を撃退する目的のためこれまで案出されそして用いられた装置は、そのような陸生及び海生の動物の挙動を撃退又は制御することを意図した音又は振動のような音又は振動を様々な機構を用いて発生するための固定の又は船に取り付けられた装置から成っていた。それらの装置には、次のものが含まれる。
【０００４】
Ｓｔａｎｌｅｙ  Ｂａｒｒａｎｄに発行された米国特許Ｎｏ．３，３１７，８８９は、サメを撃退する音を発生する線を特定の周波数で振動させることによりサメを撃退する装置を開示する。
【０００５】
Ｓｔａｎｌｅｙ  Ｗｅｉｎｂｅｒｇに発行された米国特許Ｎｏ．４，５６６，０８５は、害虫及び有害小動物を所望の空間から一掃するため音のバーストを生成する超音波発生器を開示する。
【０００６】
Ｍｉｃｈａｅｌ  Ｔ．Ｍｉｌｌｅｒに発行された米国特許Ｎｏ．５，５７０，３２２は、バラクーダに対して意図的に怒らせる音及び光を発生し送るバラクーダ撃退音発生装置を開示する。
【０００７】
Ｒｏｂｅｒｔ  Ｋ．Ｊｅｆｆｅｒｓに発行された米国特許Ｎｏ．５，６１０，８７６は、海生の動物を水の領域から撃退する抑止音響システム及び方法を開示する。低いレベルで始まる高い周波数（７−１０ｋＨｚ）の音響信号は、哺乳動物の苦痛スレッショルドを越えたレベルまで徐々に又は増分的に増大される。
【０００８】
とりわけ、従来技術の装置は、かなり複雑な構成から成り、多くの場合それらを、ユーザが個人で運びそして必要につれ作動させる人保護装置として使用するには不適切にするほどサイズが大きい。更に、上記のいずれの文献も、人間に対して捕食者である動物を撃退するため人に装着されることができる容易に可搬の人保護装置、又は圧電スピーカ技術、及びそのような動物を人間から撃退させるためそのような動物に対して捕食者の事前録音された音を用いる容易に可搬の人保護装置を開示していない。
【発明の開示】
【発明が解決しようとする課題】
【０００９】
本発明は、人の手首に選択的に装着されることができ、又は人間の身体の一部、又はサーフボード、浮遊装置及びキャンプ用装備のような海又は陸の設備の一部に装着されることができる設計が単純で、構成が容易で、人が装着可能であり、安価な人保護装置を使用可能にすることにより上記及び他の問題に対する解を提供する。
【００１０】
従って、本発明の目的の１つは、従来技術の欠点を回避する捕食者を撃退する人保護装置及びその使用方法を可能にすることである。
本発明の別の目的は、コンパクトで携帯型である人保護装置を可能にすることである。関連の目的は、例えば、腕時計に類似したように、人が着用することができる人保護装置を可能にすることである。
【００１１】
本発明の別の目的は、単純な設計を有する、捕食者を撃退する人保護装置を可能にすることである。本発明の関連の目的は、耐久性があり信頼性の良い構成である圧電技術を用いた人保護装置を可能にすることである。
【００１２】
本発明の別の目的は、容易に且つ効率的に製造され市販され得る人保護装置を可能にすることである。本発明の関連の目的は、材料及び労働力の両方に関して低い製造コストが可能であり、従って、消費する大衆に対して低い販売コストを可能することにより、そのような人保護装置を、購入する大衆に経済的に入手可能にする当該人保護装置を可能にすることである。
【００１３】
本発明の別の目的は、捕食者を撃退することが知られている音を再生する音発生器と、圧電スピーカと、電気エネルギを音発生器及び圧電スピーカに供給する電源とを備える人保護装置を可能にすることである。
【課題を解決するための手段】
【００１４】
上記及び他の目的に従って、水及び／又は陸上での活動に従事しているスイマー、スキューバ・ダイバー、サーファー、ハイカー、ハンター、キャンパー、及び他の個人を人間の海生又は陸生の捕食者による攻撃から防護するよう設計された海及び陸の音伝達により注意をそらし制止させる装置を提供する人保護装置が記載される。特定の好適な実施形態に関して、人保護装置は、サメにより及び／又は他の目標とされる陸生及び海生の人間捕食者により容易に聞き取られ、より詳細には認識される変化する順次的間隔で高周波数ピッチを発する。例えば、サメの場合、人保護装置により発せられた高いピッチ音は、自然音録音であり、又はシャチの小群の好適なコンピュータにより発生された複製音である。サメにより認識可能であることが、又はサメが人間に脅威を与える又は攻撃することを阻止することが実効的であることが、知られている又は発見された他の音は、任意に利用され得る。人保護装置により発せられた音は、他の海生又は陸生の捕食者を目標とするため選択的に変更されることができる。
【００１５】
本発明の上記及び他の特徴、局面、及び利点は、添付図面に示される本発明の実施形態の以下の説明に関連して、より詳細に考慮される。
【発明を実施するための最良の形態】
【００１６】
図１を参照すると、本発明の人保護装置が、好適には、携帯型防水容器１０の中に構成されている。小型回路ボード１３が、携帯型防水容器１０内に配設され、当該小型回路ボード１３は、音発生器及び制御回路を有する。本発明の第１の実施形態においては、音発生器は、獲物を食べている１又はそれより多くのシャチのディジタル合成音を生成する。シャチが獲物を食べている音は、野生の状態で記録され、そしてその記録された音が、ディジタル音信号に変換される。記録されたシャチの音は、ディジタル化され、編集され、そして増強されて、シャチのディジタル合成音を生成する。音発生器により生成された音は、自然の録音に実質上同一であるコンピュータ・チップ上に記録されたディジタル再録（リマスター）の人工音であることが好ましい。ほぼ５から１０秒の音が、コンピュータ・チップ上に記録される。
【００１７】
制御回路は、そのような小型回路ボード１３を付勢する入力スイッチ１６に応答する。入力スイッチ１６は、小型回路ボード１３を電気的に付勢するのを可能にするための使用可能化向きと、小型回路ボード１３を電気的に付勢するのを阻止する使用不能化向きとを有する。付勢されると、制御回路は、音発生器に指図して、録音された音を生成する。音が再生を終了すると、制御回路は、回路ボードが付勢されたままである限り、音発生器に指図して、録音された音を再生し続ける。代替実施形態においては、コンピュータ・チップは、それに記録された異なる捕食者からの複数の音を有することができる。そのような実施形態においては、音発生器により生成される所望の音を選択する手段が、設けられる。
【００１８】
圧電スピーカ１９は、小型回路ボード１３上の音発生器に電気的に接続される。圧電スピーカ１９は、音発生器から出力された音を発する。発せられた音は、ユーザから安全な距離離れた位置で捕食者が聞くことができる程の十分な音量であるべきである。そのような安全な距離は、抑止されるべき捕食者により変わる。好適な実施形態においては、圧電スピーカは、音を１２０から１９０デシベルの範囲で発生する。特定の応用により要求されるように、より大きい又はより小さい音量を用いることができる。圧電スピーカは、商業的に入手可能であり、そしてこの人保護装置を小さいコンパクトな容器の中に組み込むことを可能にし、そして最小電力源により動作され、従って圧電スピーカをユーザが着用することが可能である人保護装置に組み込むことを可能にする。１つのそのような圧電スピーカ製造業者は、マサチューセッツ州ＣａｍｂｒｉｄｇｅのＰｉｅｚｏ  Ｓｙｓｅｔｅｍｓ，Ｉｎｃ．である。
【００１９】
標準の腕時計バッテリのようなバッテリ２２が、携帯型防水容器１０内に配設される。バッテリ２２は、人保護装置の動作のための電気的エネルギを供給する。人保護装置が動作状態にされると、バッテリ電力は、入力スイッチ１６を通り、そしてブロードキャストするための音を含む音発生器を収容する小型回路ボード１３を付勢する。音発生器は、事前に録音された音を圧電スピーカ１９を介して送り始める。バッテリは、設計的に通常のものであり、そしてカシオ、Ｅｎｅｒｇｉｚｅｒ、又はＤｕｒａｃｅｌｌ腕時計バッテリのように、商業的に入手可能であるものである。バッテリは、その電気エネルギが消費されてしまったとき交換され得る。
【００２０】
携帯型防水容器１０の外側に２つの押しボタンが取り付けられ得る。第１の押しボタン２５は、入力スイッチ１６を使用可能化向きに置くことにより人保護装置をオンにする。第２の押しボタン２６は、入力スイッチ１６を使用不能化向きに置くことにより人保護装置をオフにする。
【００２１】
好適な実施形態においては、本発明の人保護装置は、ユーザが装着するのに十分な程容易に可搬可能で、完全に内蔵型で、且つ小さい。人保護装置は、圧電スピーカ技術を用いて小さい防水筐体の中に構成され、その圧電スピーカ技術は、トーキング腕時計及び小さい個人用アラームのような、小さいスピーカ装置に用いられる技術と同じ種類のものである。例えば、サメからの防護の場合、この人保護装置に用いられる圧電スピーカ技術は、サメの自然の捕食者の自然な録音を利用し得る。例えば、好適な実施形態においては、自然な録音は、Ｒポッド（Ｒ−Ｐｏｄ）として知られているシャチの周知の小群の音を備え得る。獲物を食べている間のＲポッドのメンバーにより行われる一連の叫び及びクリック音を再生することにより、人保護装置は、いずれのサメ又は海生の捕食者に、シャチがすぐ近くで獲物を食べていることを警告して、サメ又は海生の捕食者が退却するようにさせ得る。
【００２２】
動作において、小さい時計バッテリは、人保護装置の内部部品に給電する。人保護装置が活動状態にされたとき、その人保護装置は、４から１０キロワットのチャープ音（鳴き声）を、好ましくは１２０デシベルと１９０デシベルの範囲で、圧電スピーカを介して発して、潜在的な捕食者を怖がらせて追い払うことが好ましい。そのようなデシベル範囲は、特に、前述したシャチの録音を３０メートルから１００メートルの所望の距離送るため好ましいことが分かった。特に、好ましい３０メートルと１００メートルとの間の全体の伝達レンジ（範囲）が維持される限り、所望のレンジの音伝達に、及びそのような伝達が水か又は空気かのいずれかを通してかに依存して、伝送されるべき電力及び容量を変えることができる。放出された音は、ほぼ３−５秒持続することが好ましく、そして人保護装置が付勢されている限り連続的に繰り返されるであろう。録音された音の量は、それが人保護装置に含まれる小型回路ボード上に実装されたコンピュータ・チップに格納されることができるのであればいずれの長さでもよい。
【００２３】
もう一度、そのような送信は、音を水中で３０メートルと１００メートルとの間の距離にわたり発射するようにさせることが好ましい。音は、抑止のためその意図した目標に到達させるため、十分な距離水の中を走行するに十分な程強力であることが必要である。音の水中の走行長さは、送信電力及び水の状態に依存する。一般的に、水の中に発射されたより大きいパワーは、より長い距離走行する。そのため、音が遠くに走行すればするほど、捕食者への抑止効果はより大きくなる。従って、送信パワーは、その中で音が好ましくは３０メートルと１００メートルとの間の伝達距離を維持するように走行しなければならない媒体に依存して調整されることに注目すべきである。
【００２４】
人保護装置は、耐久性があり且つ防水の外部ケーシングから構成されていることが好ましく、そして腕時計／潜水用時計として、又は、それを、身体の一部、又はサーフボード、浮遊装置及びキャンピング用装備ような海又は陸の装置に装着することを可能にする要領で装着され得る。
【００２５】
代替実施形態において、人保護装置は、例えば、バンドウイルカ、マッコウクジラ、ザトウクジラ、及び他の類似の海生の動物、及びサメ又は他の海生の捕食者を攻撃することが知られている海生の肉食動物の音のような他の自然の音を用いて、変更することができる。それはまた、人間の他の捕食者に対して抑止するものの音のような他の音を用いるため変更することができる。そのような変更は、異なる録音を有する異なるコンピュータ・チップを用いることにより、又は単一のチップに格納された可変の選択可能な音を用いることにより実行され得る。類似の圧電スピーカ技術、及び間隔を有する音伝送、順次的な音伝送、又は他の音伝送が、人間の他の陸生及び海生の捕食者を目標にするよう特に設計され得る。
【００２６】
産業の適用可能性
人保護装置の産業の適用可能性については、陸生及び海生の捕食者を撃退するよう設計された音を発し、且つ人間が都合良く運び又は装着することができる１つの装置を提供することが望ましい。スイマー、スキューバ・ダイバー、サーファー、ハイカー、ハンター、キャンパー、及び水及び／又は陸での活動に従事している他の個人を人間の海生又は陸生の捕食者による攻撃から防護するよう設計された海及び／又は陸の音伝達により注意をそらし制止する装置を提供する人間保護設備が開示されている。この装置は、サメにより及び／又は人間の他の目標とされる陸生及び海生の捕食者により容易に聞き取られ且つより詳細には認識される高い周波数ピッチを、変化する順次的間隔で発する。その人保護装置が発する音は、多種多様の海生及び陸生の捕食者を目標にするため選択的に変更されることができる。
【図面の簡単な説明】
【００２７】
【図１】図１は、本発明の一実施形態に従った回路を有する装置のブロック図を示す。
【図１】
2007521026.tif 000003
【国際調査報告】
2007521026.tif 000004
2007521026.tif 000005